(57)【特許請求の範囲】
【請求項１】
特定区域に出入りしようとする人の個人識別情報を、検出された個人識別情報として検出して、前記検出された個人識別情報が前記特定区域に出入りできる人の個人識別情報であるか否かを判定し、前記検出された個人識別情報が前記特定区域に出入りできる人の個人識別情報である場合に、前記特定区域に出入りしようとする前記人を特定する個人特定情報を出力する個人識別手段（１、３´）と、
前記特定区域に出入りしようとする前記人が所持している荷物の重量を、測定された荷物重量として、測定する荷物重量測定手段（１０）と、
前記特定区域に出入りしようとする前記人とその人が所持している前記荷物との合計重量を、測定された合計重量として、測定する合計重量測定手段（７）と、
前記個人識別手段、前記荷物重量測定手段、及び前記合計重量測定手段に接続されると共に、予め前記特定区域に出入りできる人の重量を、保存された人重量として、保存しており、前記測定された合計重量から前記測定された荷物重量を減算することにより、前記特定区域に出入りしようとする前記人の重量を、検出された人重量として検出して、前記検出された人重量と、前記個人識別手段から出力された前記個人特定情報にて特定された人に対応して保存されている前記保存された人重量との差の絶対値を所定値に比較し、前記差の絶対値が前記所定値以下である場合に、前記特定区域に出入りしようとする人が一人であると判定する判定手段（８”）とを、有する出入管理システムであって、
前記荷物重量測定手段は、微細な秤量変動を検出する機能を有するものであり、
前記判定手段は、前記荷物重量測定手段が微細な秤量変動を検出した時には、秤量物が荷物ではないと判定することを特徴とする出入管理システム。
【請求項２】
請求項１に記載の出入管理システムにおいて、
前記判定手段は、前記差の絶対値が前記所定値以下である場合に、前記特定区域に出入りしようとする人が一人であると判定し、前記特定区域に出入りしようとする前記人が一人であることを示す一人信号を出入り許可信号として出力するものであり、
前記判定手段に接続され、前記出入り許可信号を受けた場合にのみ、前記特定区域に出入りしようとする前記人の前記特定区域への出入りを許可する出入り許可手段（２）を更に有することを特徴とする出入管理システム。
【請求項３】
請求項１又は２に記載の出入管理システムにおいて、
前記荷物重量測定手段に開閉の制御が可能な扉（１２）を設け、
前記荷物重量測定手段が微細な秤量変動を検出した時には、前記扉を閉扉状態に保持し、前記秤量物の回収を不可能とすることを特徴とする出入管理システム。
【請求項４】
特定区域に出入りしようとする人の個人識別情報を、検出された個人識別情報として検出して、前記検出された個人識別情報が前記特定区域に出入りできる人の個人識別情報であるか否かを判定し、前記検出された個人識別情報が前記特定区域に出入りできる人の個人識別情報である場合に、前記特定区域に出入りしようとする前記人を特定する個人特定情報を出力する個人識別手段（１、３´）と、
前記特定区域に出入りしようとする前記人が所持している荷物の重量を、測定された荷物重量として、測定する荷物重量測定手段と、
前記特定区域に出入りしようとする前記人とその人が所持している前記荷物との合計重量を、測定された合計重量として、測定する合計重量測定手段と、
前記個人識別手段、前記荷物重量測定手段、及び前記合計重量測定手段に接続されると共に、予め前記特定区域に出入りできる人の重量を、保存された人重量として、保存しており、前記測定された合計重量から前記測定された荷物重量を減算することにより、前記特定区域に出入りしようとする前記人の重量を、検出された人重量として検出して、前記検出された人重量と、前記個人識別手段から出力された前記個人特定情報にて特定された人に対応して保存されている前記保存された人重量との差の絶対値を所定値に比較し、前記差の絶対値が前記所定値以下である場合に、前記特定区域に出入りしようとする人が一人であると判定する判定手段（８”）とを、有する出入管理システムであって、
前記荷物重量測定手段及び前記合計重量測定手段として、同一の重量測定手段（７）を切り替えて用い、
前記判定手段は、前記同一の重量測定手段が前記荷物重量測定手段として使用されている時に前記同一の重量測定手段が微細な秤量変動を検出した時には、秤量物が荷物ではないと判定することを特徴とする出入管理システム。
【発明の詳細な説明】
【０００１】
【発明の属する技術分野】
本発明は、ＩＤカードなどを用いて個人を識別し、重量を測定することで出入りしようとする人が識別された個人ただ一人であることを判定して特定区域への出入りを管理する同一人検知機能付き出入管理システムに関する。
【０００２】
【従来の技術】
磁気カード、非接触カードなどのＩＤ（個人識別）カードや、指紋や声紋や網膜パターンなどの生体特長を利用して個人を識別する出入管理システムは、一般の人の出入りを制限したい場所などで、その出入りを管理する目的で広く利用されている。
【０００３】
特に、オフィスなどでは、出入管理のためのＩＤカードを胸に付ける名札と兼ねて使用したり、出入りする人の履歴が残る出入管理システムの特徴を利用して出怠勤管理に利用するなど、そのアプリケーションも広がりつつある。
【０００４】
このようなシステムでは、個人識別機器とドアを組み合わせそのドアを通過できるものが来たときにだけドアの電気錠を解錠するなどの方法で出入りの管理が一般的に行われているが、ドアが開いたのを幸いに個人識別機器を通過しない人までもそのドアを通過してしまうことがままある。そこで、特に重要な場所ではドアを２枚にしてその間に人が一人入れる空間を作り、この空間の中で個人の識別を行うという方法が取られることがある。当然、２枚のドアはインターロック動作とし、２枚のドアのうちどちらかが開扉している間は他方は開かないようにして、通り抜けを防いでいる。さらに、２枚のドアの間の空間に、人が一人しかいないことを検出するため、その空間に入つている人の重量を測定したり、空間内に多数の光線を多方向に張り巡らし、その遮光パターンによって一人であることを検出したりする方法が併用される。
【０００５】
何となれば、２枚のドアの間の空間は、そこに出入りする人の中で、最も太った大きい人に合わせなければならず、その空間に小柄な人ならば二人以上が容易に入ることが出来るからである。特に、空間に入つている人の重量を測定する方法は、他の一人検知方法に比べて構成が単純で一人と認識するための演算も容易なため、比較的多く用いられている。
【０００６】
その一方で、重量による判定の許容範囲を少なくしようと思えば、出入りしようとする人が何か荷物を持っていた場合、荷物の重量によって一人と判定されないことが多くなる。そのため、荷物所持者のための通路を設け、警備員による出入管理を余儀なくされたり、通路にテレビカメラを設け、四六時中警備員がモニターを見ていて、出入者が一人であることを監視するなどの方法が取られているが、せっかくの一人検知システムの機能が十分に生かされないばかリでなく、一般の通路とは別に荷物所持者のための通路を設けなくてはならないため設備が大がかりとなり、また、警備員に過度の責任を負わせることも多く、一人検知機能付きの出入管理システムの普及の妨げになっていた。
【０００７】
上述したように個人識別を用いた出入管理システムは、磁気カード、非接触カードなどのＩＤカードを使用するもの、指紋、声紋、網膜パターンなどの人の生体特長を利用したものなどが実用化されているが、何れも出入りを制限するためのドアなどを持っており、そこに出入りできる者が一人いてドアを開けることができれば、出入りを許されていない者も、ドアが閉まる前に続いて出入り出来てしまうという欠点を持つものが多い。
【０００８】
その欠点を補うため、出入管理システムに一人検知と呼ばれる機能を加え、２枚の扉に挟まれた空間に、人が一人しかいないことを検知し、何人もが続いて出入りするのを防いでいる。一人検知の方法には前記空間内にいる者の重量を測定する方法、前記空間内にいる者の投影面積を測定する方法などがある。
【０００９】
本発明は、出入りする者の重量を測定することにより、複数の人の同時出入リを防ぐ一人検知機能付き出入管理システムに関する。
【００１０】
図７は、一般的に利用されている出入管理システムを上から見た図である。図７で、１はＩＤカードに書き込まれている個人識別データを読み込むカードリーダ、２は自由な出入りを制限するドアで、電気錠などにより施錠されている。３は、カードリーダ１で読み込まれたカードデータがこのドア２を出入りできる者のデータか否かを判定する制御部、４は出入りが制限されている区域を表す。
【００１１】
図８に示すように、制御部３はカードリーダ１に電気的に接続され、ドア２に設けられた電気錠は制御部３に電気的に接続されている。
【００１２】
図７及び図８において、ドア２を出入りすることがシステム上許された者が、カードリーダ１にＩＤカードデータを読み込ませると、制御部３はカード所持者に対し出入り可の判定を下し、電気錠を一定時間解錠する。許可されたＩＤカードの所持者は解錠されたドアを開けて制限区域４にはいることができる。当然、ＩＤカードを持たない者がこのドア２を通つて区域内に入ろうとしても、ドア２が施錠されているので入ることはできない。また、ＩＤカードを持っていても、このドア２の出入りがシステム上できない者は、カードリーダ１にカードを読み込ませても、制御部３が出入り不可の判定を下すので、電気錠は解錠せずドア２を開けることはできない。
【００１３】
図７及び図８の例では、このドア２の出入りができる者が一人居さえすれば、その者のカードデータをカードリーダ１に読み込ませることでドア２を開け、ドア２を手で抑えておくなどして、本来このドア２の出入りができない人たちを制限区域４の中に入れてしまうことができる。
【００１４】
この例では、出入りを制限する個人識別媒体としてＩＤカードを使用しているが、指紋や声紋などの生体特長を個人識別要素として使用するシステムでも、システムの動作、欠点は同様である。また、図７の例のように手動のドア２を用いたシステムでも、自動ドアのような他の制限手段を使用したシステムでも、基本的な動作は同様である。
【００１５】
図９は、一人検知機能を付加した従来の出入り管理システムを上から見た図である。図９で、５は制限区域４にはいるための第１のドア、２は制限区域４にはいるための第２のドア、６は第１のドア５と第２のドア２に挟まれた、人が一人入ることのできる空間、１は前記空間６内に設けられたカードリーダ、７は前記空間６の床に設けられた、出入りする者の重量を測定するための秤、３はカードリーダで読み込まれたカードデータがこのドア２を出入りできる者のデータか否かを判定する第１の制御部、８は秤７により測定された重量が予め定めたある値以下ならば、空間６内の人が一人であると判定する第２の制御部、９はアンド回路、４は制限区域である。
【００１６】
図１０のように、第１の制御部３はカードリーダ１に電気的に接続され、第２の制御部８は秤７に電気的に接続され、アンド回路９は第１の制御部３及び第２の制御部８に電気的に接続され、ドア２に設けられた電気錠はアンド回路９に電気的に接続されている。
【００１７】
図９及び図１０において、制限区域４に入ろうとする者Ａが第１のドア５の前に立つと、人感センサ（図示せず）により第１のドア５が開いてＡは第１のドア５と第２のドア２とに挟まれた空間６に入ることが出来る。第１のドア５が閉まりＡがカードリーダ１にカードデータを読み込ませると、第１の制御部３がＡのカードデータは制限区域４にはいることが出来るものか否かを判定する。同時にＡの重量は秤７によって測定され、第２の制御部８は、その値が予め定めたある値以下ならば、空間６にいる者は一人であると判定する。前記空間６は、人が一人入れ、かつできるだけ小さい面積に設定され、出入り者の重量を測定するための秤７は、空間６の床面積に対し出来るだけ大きく出来れば床の全面とし、重量を測定している以外の者が、空間６内に入ることが出来なくすることが必要である。
【００１８】
Ａのカードデータが制限区域４に入ることができるものであり、かつ測定された重量が予め定めた値以下ならば、アンド回路９は第２のドア２の電気錠に解錠指令を出し、電気錠は解錠されてＡはドア２を開けて制限区域４の中に入ることができる。人感センサとしては、遠赤外線検知センサ、マットスイッチ、光電管など種々のセンサが使用できる。また、センサを使わず出入りする者が押し釦スイッチを押すことで第１のドア５を開けても良いし、第１のドア５は自由に開け締めできるものでも良い。
【００１９】
図１１は更に改良された一人検知機能付き出入管理システムを上から見た図である。また、図１２は、図１１の構成要素の電気的接続関係を示す図である。
【００２０】
図１１及び図１２において、５は制限区域４にはいるための第１のドア、２は制限区域４にはいるための第１のドアであり、６は第１のドア５と第２のドア２に挟まれた、人が一人入ることのできる空間であり、１は前記空間６内に設けられたカードリーダであり、７は前記空間６の床に設けられた、出入りする者の重量を測定するための秤である。
【００２１】
３´はカードリーダ１で読み込まれたカードデータ（個人識別情報）がドア２を出入りできる人のデータ（個人識別情報）か否かを判定する第１の制御部である。即ち、カードリーダ１は、制限区域４に出入りしようとする人の個人識別情報を、検出された個人識別情報として検出する手段として作用する。また、第１の制御部３´は、予め制限区域４に出入りできる人の個人識別情報を、保存された個人識別情報として保存しており、カードリーダ１からの前記検出された個人識別情報が前記保存された個人識別情報の一つに一致するか否かを判定するものである。即ち、第１の制御部３´は、前記検出された個人識別情報が制限区域４に出入りできる人の個人識別情報であるか否かを判定するものである。そして、第１の制御部３´は、前記検出された個人識別情報が制限区域４に出入りできる人の個人識別情報である場合に、制限区域４に出入りしようとする前記人を特定する個人特定情報を第２の制御部８´に出力するものである。
【００２２】
このように、カードリーダ１と第１の制御部３´とは、制限区域４に出入りしようとする人の個人識別情報を、検出された個人識別情報として検出して、前記検出された個人識別情報が制限区域４に出入りできる人の個人識別情報であるか否かを判定し、前記検出された個人識別情報が制限区域４に出入りできる人の個人識別情報である場合に、制限区域４に出入りしようとする前記人を特定する個人特定情報を第２の制御部８´に出力する個人識別手段として働く。
【００２３】
秤７は、制限区域４に出入りしようとする前記人の重量を、検出された人重量として検出する。第２の制御部８´は、第１の制御部３´に接続されると共に、予め制限区域４に出入りできる人の重量を、保存された人重量として、保存しており、秤７から出力された前記検出された人重量と、第１の制御部３´から出力された前記個人特定情報にて特定された人に対応して保存されている前記保存された人重量との差の絶対値が所定値以下であるか否かを判定し、前記差の絶対値が前記所定値以下である場合に、前記特定区域に出入りしようとする前記人が一人であることを論理“１”として示す信号（一人信号）を出入り許可信号として出力する。
【００２４】
ドア２の電気錠は、出入り許可信号に与えられ、その電気錠を開錠し、制限区域４に出入りしようとする前記人の制限区域４への出入りを許可する出入り許可手段として作用する。
【００２５】
図１及び図２のシステムを出入りする者Ａが使用する場合の動作は、次の通りである。制限区域４に入ろうとする者Ａが第１のドア５の前に立つと、人感センサ（図示せず）により第１のドア５が開いてＡは第１のドア５と第２のドア２とに挟まれた空間６に入ることが出来る。第１のドア５が閉まりＡがカードリーダ１にカードデータを読み込ませると、第１の制御部３´がＡのカードデータは制限区域４にはいることが出来るものか否かを判定する。同時にＡの重量は秤７によって測定され、第２の制御部８´により予め測定しておいたＡの重量と比較し、互いの差の絶対値が所定値以下であるならば空間６にいる者はＡ一人であると判定する。
【００２６】
Ａのカードデータが制限区域４に入ることができるものであり、かつ測定された重量と予め測定しておいたＡの重量との差の絶対値が所定値以下であれば、前述の出入り許可信号は第２のドア２の電気錠に解錠指令として送出され、電気錠は解錠されてＡはドアを開けて制限区域４の中に入ることができる。
【００２７】
人感センサとしては、遠赤外線検知センサ、マットスイッチ、光電管など種々のセンサが使用できる。また、センサを使わず出入りする者が押し釦スイッチを押すことで第１のドア５を開けても良いし、第１のドア５は自由に開け締めできるものでも良い。
【００２８】
また、秤７によって測定される重量と、予め測定しておいた同一人の重量との差の絶対値が比較される前記所定値は数１００グラムから数キログラムの範囲の値が設定される。
【００２９】
【発明が解決しようとする課題】
図１１及び図１２を用いて説明したように、制限区域に入るものが同一人ひとりであることを重量によって判定するシステムが実用化され、更に出入りする者が荷物を所持している場合には、荷物の重量を予め測定して、荷物を所持した出入りする者の重量から荷物の重量を減ずることで、制限区域への荷物の持ち込みや、制限区域からの荷物の持ち出しを把握するシステムも考案されているが、これらは、荷物として秤にのせられたものが本当に荷物であるか否かを判別する手段を持たず、重量だけを荷物の識別要素としているため、制限区域への出入りを許可されない人が荷物と偽つて重量を測定され、制限区域への出入りを許可された者と一緒に出入りしても、人が荷物を持って出入りしていると認識され、不正な出入りを排除できないという欠点があった。
【００３０】
そのため、テレビカメラなどを用いて、常に出入りの状況を監視し、不審な者や不審な行動をチェックするなどということが行われているが、設備にかかるコストが増大し、また、監視する警備員の負担も大きいという問題点があった。
【００３１】
本発明は、本来、人の計量の際には安定な計量の妨げとなっていた秤量の微細な変化で、荷物として秤にのせられたものが本当に荷物なのか、人を荷物と偽つているのかを判定することによって、人を荷物と偽って不正に制限区域に出入りさせることを防止し、より確度の高い出入管理システムを提供することを目的としたものである。
【００３２】
すなわち、本発明は、生物が常に発生してる微細な動作を秤量の変化として検出し、荷物であるとして重量を測定されている物が、人などの生物であるか、荷物などの無生物であるかを判別することにより、人が荷物と偽って許可なく制限区域内に出入りすることを防止しようとするものである。
【００３３】
【課題を解決するための手段】
本発明の第１の態様によれば、
特定区域に出入りしようとする人の個人識別情報を、検出された個人識別情報として検出して、前記検出された個人識別情報が前記特定区域に出入りできる人の個人識別情報であるか否かを判定し、前記検出された個人識別情報が前記特定区域に出入りできる人の個人識別情報である場合に、前記特定区域に出入りしようとする前記人を特定する個人特定情報を出力する個人識別手段（１、３´）と、
前記特定区域に出入りしようとする前記人が所持している荷物の重量を、測定された荷物重量として、測定する荷物重量測定手段（１０）と、
前記特定区域に出入りしようとする前記人とその人が所持している前記荷物との合計重量を、測定された合計重量として、測定する合計重量測定手段（７）と、
前記個人識別手段、前記荷物重量測定手段、及び前記合計重量測定手段に接続されると共に、予め前記特定区域に出入りできる人の重量を、保存された人重量として、保存しており、前記測定された合計重量から前記測定された荷物重量を減算することにより、前記特定区域に出入りしようとする前記人の重量を、検出された人重量として検出して、前記検出された人重量と、前記個人識別手段から出力された前記個人特定情報にて特定された人に対応して保存されている前記保存された人重量との差の絶対値を所定値に比較し、前記差の絶対値が前記所定値以下である場合に、前記特定区域に出入りしようとする人が一人であると判定する判定手段（８”）とを、有する出入管理システムであって、
前記荷物重量測定手段は、微細な秤量変動を検出する機能を有するものであり、
前記判定手段は、前記荷物重量測定手段が微細な秤量変動を検出した時には、秤量物が荷物ではないと判定することを特徴とする出入管理システムが得られる。
【００３４】
本発明の第２の態様によれば、前述の第１の態様による出入管理システムにおいて、
前記判定手段は、前記差の絶対値が前記所定値以下である場合に、前記特定区域に出入りしようとする人が一人であると判定し、前記特定区域に出入りしようとする前記人が一人であることを示す一人信号を出入り許可信号として出力するものであり、
前記判定手段に接続され、前記出入り許可信号を受けた場合にのみ、前記特定区域に出入りしようとする前記人の前記特定区域への出入りを許可する出入り許可手段（２）を更に有することを特徴とする出入管理システムが得られる。
【００３５】
本発明の第３の態様によれば、前述の第１又は第２の態様による出入管理システムにおいて、
前記荷物重量測定手段に開閉の制御が可能な扉（１２）を設け、
前記荷物重量測定手段が微細な秤量変動を検出した時には、前記扉を閉扉状態に保持し、前記秤量物の回収を不可能とすることを特徴とする出入管理システムが得られる。
【００３６】
本発明の第４の態様によれば、
特定区域に出入りしようとする人の個人識別情報を、検出された個人識別情報として検出して、前記検出された個人識別情報が前記特定区域に出入りできる人の個人識別情報であるか否かを判定し、前記検出された個人識別情報が前記特定区域に出入りできる人の個人識別情報である場合に、前記特定区域に出入りしようとする前記人を特定する個人特定情報を出力する個人識別手段（１、３´）と、
前記特定区域に出入りしようとする前記人が所持している荷物の重量を、測定された荷物重量として、測定する荷物重量測定手段と、
前記特定区域に出入りしようとする前記人とその人が所持している前記荷物との合計重量を、測定された合計重量として、測定する合計重量測定手段と、
前記個人識別手段、前記荷物重量測定手段、及び前記合計重量測定手段に接続されると共に、予め前記特定区域に出入りできる人の重量を、保存された人重量として、保存しており、前記測定された合計重量から前記測定された荷物重量を減算することにより、前記特定区域に出入りしようとする前記人の重量を、検出された人重量として検出して、前記検出された人重量と、前記個人識別手段から出力された前記個人特定情報にて特定された人に対応して保存されている前記保存された人重量との差の絶対値を所定値に比較し、前記差の絶対値が前記所定値以下である場合に、前記特定区域に出入りしようとする人が一人であると判定する判定手段（８”）とを、有する出入管理システムであって、
前記荷物重量測定手段及び前記合計重量測定手段として、同一の重量測定手段（７）を切り替えて用い、
前記判定手段は、前記同一の重量測定手段が前記荷物重量測定手段として使用されている時に前記同一の重量測定手段が微細な秤量変動を検出した時には、秤量物が荷物ではないと判定することを特徴とする出入管理システムが得られる。
【００３７】
【発明の実施の形態】
次に本発明の実施例について図面を参照して説明する。
【００３８】
図１は本発明の第１の実施例による一人検知機能付き出入管理システムを上から見た図である。また、図２は、図１の構成要素の電気的接続関係を示す図である。
【００３９】
図１及び図２に示された一人検知機能付き出入管理システムは、以下に述べることを除けば図１１及び図１２に示した一人検知機能付き出入管理システムと同様である。
【００４０】
まず、図１及び図２に示された一人検知機能付き出入管理システムは、制限区域４に出入りしようとする人が荷物を所持している場合に、制限区域４に出入りしようとする前記人が所持している前記荷物の重量を、測定された荷物重量として測定する、荷物の重量を測定する為の秤（荷物重量測定手段）１０を有している。
【００４１】
また、図１及び図２に示された一人検知機能付き出入管理システムは、制限区域４に出入りしようとする前記人とその人が所持している前記荷物との合計重量を、測定された合計重量として、測定する合計重量測定手段として秤７を用いている。
【００４２】
秤（合計重量測定手段）７は、秤量の最小確度は測定重量範囲の１００分の１から数１００分の１に設定される。これは人の見かけ上の重量が常に微細に変動するため、秤量の最小確度を小さくすると測定重量が常に変動してしまうためである。
【００４３】
これに対して、秤（荷物重量測定手段）１０は、秤量の変動検出可能な値は周囲の振動などで影響を受けない範囲でできるだけ小さく設定され、通常は測定重量範囲の数１０００分の１から数１００００分の１以下とされる。
【００４４】
このようにして、秤（荷物重量測定手段）１０は、秤（合計重量測定手段）７よりも微細な秤量変動を検出する機能を与えられている。
【００４５】
更に、図１及び図２に示された一人検知機能付き出入管理システムは、予め制限区域４に出入りできる人の重量を、保存された人重量として、保存しており、秤７における前記測定された合計重量から前記荷物の重量を測定する為の秤１０における前記測定された荷物重量を減算することにより、制限区域４に出入りしようとする前記人の重量を、前記検出された人重量として検出して、前記検出された人重量と、前記個人識別手段の第１の制御部３´から出力された前記個人特定情報にて特定された人に対応して保存されている前記保存された人重量との差の絶対値が前記所定値以下であるか否かを判定し、前記差の絶対値が前記所定値以下である場合に、制限区域４に出入りしようとする人が一人であることを論理“１”で示す信号（すなわち、前記一人信号）を出入り許可信号として出力する第２の制御部８”とを有している。
【００４６】
加えて、この第２の制御部８”は、秤（荷物重量測定手段）１０が微細な秤量変動を検出した時には、秤量物が荷物ではなく人であると判定して、前記差の絶対値が前記所定値以下である場合でも前記第２の信号（すなわち、前記一人信号）を出力しない。
【００４７】
以上のことが、図１１及び図１２に示した一人検知機能付き出入管理システムと異なる。
【００４８】
図１及び図２に示されたシステムを荷物を所持しない者Ａが使用する場合の動作は、荷物の重量を測定する為の秤１０を使用しないので、図１１及び図１２の場合と同様である。
【００４９】
図１及び図２に示されたシステムを荷物を所持する者Ｂが使用する場合の動作は、次のようになる。制限区域４に入ろうとする者Ｂが第１のドア５の前に立つと、第１のドア５が開くが、荷物を所持しているＢは第１のドア５と第２のドア２とに挟まれた空間６に入る前に荷物を秤１０に乗せる。秤１０は、荷物の秤量を測定するとともに、荷物の秤量に微細な増減がないかを監視する。もし、載せられた荷物が無生物であるなら、当然荷物の重量は安定し、秤量に変化は無い。一方、荷物として載せられた物が本当は荷物ではなく、人間であれば、常に姿勢のバランスを取らなくてはならないため、秤量に微細な変動が発生する。この微細な秤量変化は、立っているときだけでなく、座っているときも、箱などに入っているときでも発生するものである。第２の制御部８”は秤１０で測定している荷物の秤量に微細な変動がないことを確認できると、載せられた物が荷物であると判定し、測定終了を視覚的、あるいは聴覚的手段でＢに知らせる。秤１０に載せられた物に微細な秤量の変化が認められると、第２の制御部８”は測定している物が荷物ではないと判断して警報を発する。
【００５０】
秤１０に載せられた物が荷物と判定され、その重量が測定されるとその値は第２の制御部８”に収納される。Ｂは測定の終わった荷物を取り、第１のドア５と第２のドア２とに挟まれた空間６に入る。第１のドア５が閉まりＢがカードリーダ１にカードデータを読み込ませると、第１の制御部３´がＢのカードデータは制限区域４にはいることが出来るものか否かを判定する。同時にＢの重量は秤７によって測定され、第２の制御部８”により、測定されたＢの重量から荷物の重量を減じた値と予め測定しておいたＢの重量と比較し、互いの差の絶対値が前記所定値以下ならば空間６にいる者はＢ一人であると判定する。
【００５１】
Ｂのカードデータが制限区域４に入ることができるものであり，かつ秤７により測定された重量から荷物の重量を減じた値と予め測定しておいたＢの重量との差の絶対値が所定値以下であれば、出入り許可信号がドア２の電気錠に解錠指令として送出され、電気錠は解錠されて、Ｂはドアを開けて制限区域４の中に入ることができる。Ｂが荷物の重量を測定しないで第１のドア５と第２のドア２とに挟まれた空間６に入つた場合は、Ｂの重量は荷物の分だけ多く測定されるため、第２の制御部８”は空間６に居る者がＢ一人ではないと判定するため、出入り許可信号は出力されず、第２のドア２は解錠せず、Ｂは制限区域４に入ることはできない。
【００５２】
このように、本実施例によれば、図１１及び図１２のシステムの効果に加えて荷物所持者のための特別な通路が不要となり、荷物所持者のための特別な管理も省くことができるだけでなく、出入りする者の荷物の持ち込み、荷物の持ち出しも把握できる出入管理システムを構成することができる。
【００５３】
図３は本発明の第２の実施例による一人検知機能付き出入管理システムを上から見た図である。また、図４は、図３の構成要素の電気的接続関係を示す図である。
【００５４】
図３及び図４に示された一人検知機能付き出入管理システムは、以下に述べることを除けば図１及び図２に示した一人検知機能付き出入管理システムと同様である。即ち、図３及び図４のように、荷物の重量を測定する秤１０に電気錠などの開閉制御が可能な手段を持つ扉１２を設けるとともに、秤１０が荷物を測定する際は扉１２を閉めてから測定を開始するものとし、万一その荷物が人などの生物であると判定した場合には、扉１２を閉扉状態に保持して、荷物所持者による秤量物の回収を不可能にすれば、荷物の重量を測定する秤１０で測定された人などの生物の捕獲が容易となり、不正の再発を防止する効果が得られる。
【００５５】
図５は本発明の第３の実施例による一人検知機能付き出入管理システムを上から見た図である。また、図６は、図５の構成要素の電気的接続関係を示す図である。
【００５６】
図５及び図６に示された一人検知機能付き出入管理システムは、以下に述べることを除けば図１及び図２に示した一人検知機能付き出入管理システムと同様である。即ち、図５及び図６に示された一人検知機能付き出入管理システムでは、前記荷物重量測定手段と前記合計重量測定手段として、同一の秤（重量測定手段）７を切り替えて用いる。この切り替えを第２の制御部８”に知らせるために、図５及び図６に示された一人検知機能付き出入管理システムでは、押し釦スイッチ１１が設けられている。即ち、図５及び図６に示された一人検知機能付き出入管理システムは、出入りをするものが荷物を所持している場合、秤７を荷物の重量測定に切り替えるための押し釦スイッチ１１を有している。以上のことが、図１及び図２に示した一人検知機能付き出入管理システムと異なる。
【００５７】
図５及び図６に示されたシステムを荷物を所持しない者Ａが使用する場合の動作は、荷物の重量を測定する為の押し釦スイッチ１１を使用しないので、図１１及び図１２の場合と同様である。
【００５８】
図５及び図６に示されたシステムを荷物を所持する者Ｃが使用する場合の動作は、次のようになる。
【００５９】
制限区域４に入ろうとする者Ｃが第１のドア５の前に立つと、第１のドア５が開くが、荷物を所持しているＣは第１のドア５と第２のドア２とに挟まれた空間６に入る前に、押し釦スイッチ１１を押し、秤７を荷物の重量測定に切り替えた後、荷物を秤７に載せる。
【００６０】
秤７は、荷物の秤量を測定するとともに、荷物の秤量に微細な増減がないかを監視する。もし、載せられた荷物が無生物であるなら、当然、荷物の重量は安定し、秤量に変化は無い。一方、荷物として載せられた物が本当は荷物ではなく、人間であれば、常に姿勢のバランスを取らなくてはならないため、秤量に微細な変動が発生する。この微細な秤量変化は、立っているときだけでなく、座つているときも、箱などに入っているときでも発生するものである。第２の制御部８”は秤７で測定している荷物の秤量に微細な変動がないことを確認できると、載せられた物が荷物であると判定し、測定終了を視覚的、あるいは聴覚的手段でＣに知らせるとともに、荷物の重量測定の状態から出入りする人の重量を測定する状態に切り替わる。
【００６１】
秤７に載せられた物に微細な秤量の変化が認められると、第２の制御部８”は測定している物が荷物ではないと判断して警報を発する。
【００６２】
秤７に載せられたものが荷物と判定され、その重量が測定されるとその値は第２の制御部８”に収納される。Ｃは測定の終わつた荷物を取り、第１のドア５と第２のドア２とに挟まれた空間に入る。第１のドア５が閉まり、Ｃがカードリーダ１にカードデータを読み込ませると、第１の制御部３´がＣのカードデータは制限区域４にはいることが出来るものか否かを判定する。同時に、荷物を持ったＣの重量は荷物とともに秤７によって測定され、第２の制御部８”により、測定されたＣの重量及び荷物の重量から荷物の重量を減じた値と予め測定しておいたＣの重量と比較し、互いの差の絶対値が前記所定値以下ならば空間にいる者はＣ一人であると判定する。
【００６３】
Ｃのカードデータが制限区域４に入ることができるものであり、かつ秤７により測定されたＣの重量及び荷物の重量から荷物の重量を減じた値と予め測定しておいたＣの重量との差の絶対値が前記所定値以下であれば、第２の制御部８”は出入り許可信号をドア２の電気錠に、解錠指令として出力し、電気錠は解錠されて、Ｃはドアを開けて制限区域４内に入ることができる。Ｃが荷物の重量を測定しないで第１のドア５と第２のドア２とに挟まれた空間６に入った場合は、Ｃの重量は荷物の分だけ多く測定されるため、第２の制御部８”は空間６に居る者がＣ一人ではないと判定するため、出入り許可信号は出力されず、第２のドアは解錠せず、Ｃは制限区域４に入ることはできない。
【００６４】
なお、本発明の例としてＩＤカードを使用した個人識別を行う楊合を示したが、個人識別の方法はこれに限らず指紋や声紋や網膜パターンなどの生体特長を利用してもよく、また個人毎に異なる暗証番号を打ち込むなどの方法をとつても同様の効果が得られる。
【００６５】
また、第１のドア５に電気錠などの開閉制御が可能な手段を設けておき、秤７が荷物を測定する際は第１のドア５を閉めてから測定を開始するものとし、万一その荷物が人などの生物であると判定した場合には、第１のドア５を閉扉状態に保持し、荷物所持者による荷物の回収を不可能にすれば、荷物の重量を測定する秤７で測定された人などの生物の捕獲が容易となり、不正の再発を防止する効果が得られる。
【００６６】
また、予め測定する出入りできる人の重量、出入り時に測定する出入りする人の重量、荷物の重量とも表示或いは公開しないことで、事前に重量の調整をして許可のない者が出入りしようとする不正な行為を防ぐことができる。
【００６７】
このように本発明によれば、簡単な構成で、荷物所持者のための特別な通路が不要で、荷物の出入りも把握でき、制限区域に出入を許可されていない者が荷物と偽つて不正に出入りすることができない、信頼性の高い出入管理システムを構成することができる。
【００６８】
なお、第１及び第２の制御部は一つの制御手段（例えば、マイコン）で構成してもよい。
【００６９】
【発明の効果】
以上説明したように本発明によれば、本来、人の計量の際には安定な計量の妨げとなっていた秤量の微細な変化で、荷物として秤にのせられたものが本当に荷物なのか、人を荷物と偽つているのかを判定することによって、人を荷物と偽って不正に制限区域に出入りさせることを防止し、より確度の高い出入管理システムが得られる。
【図面の簡単な説明】
【図１】本発明の第１の実施例による出入管理システムを上から見た図である。
【図２】図１の出入管理システムの構成要素の電気的接続関係を示す図である。
【図３】本発明の第２の実施例による出入管理システムを上から見た図である。
【図４】図３の出入管理システムの構成要素の電気的接続関係を示す図である。
【図５】本発明の第３の実施例による出入管理システムを上から見た図である。
【図６】図５の出入管理システムの構成要素の電気的接続関係を示す図である。
【図７】一般的な出入管理システムを上から見た図である。
【図８】図７の出入管理システムの構成要素の電気的接続関係を示す図である。
【図９】従来の出入管理システムを上から見た図である。
【図１０】図９の出入管理システムの構成要素の電気的接続関係を示す図である。
【図１１】改良された出入管理システムを上から見た図である。
【図１２】図１１の出入管理システムの構成要素の電気的接続関係を示す図である。
【符号の説明】
１      カードリーダ
２      ドア
３´    第１の制御部
４      制限区域
５      ドア
６      空間
７      秤
８´    第２の制御部
８”    第２の制御部
９      アンド回路
１０    荷物の重量を測定する為の秤
１１    押し釦スイッチ
【図１】
0004050817.tif 000002
【図２】
0004050817.tif 000003
【図３】
0004050817.tif 000004
【図４】
0004050817.tif 000005
【図５】
0004050817.tif 000006
【図６】
0004050817.tif 000007
【図７】
0004050817.tif 000008
【図８】
0004050817.tif 000009
【図９】
0004050817.tif 000010
【図１０】
0004050817.tif 000011
【図１１】
0004050817.tif 000012
【図１２】
0004050817.tif 000013